【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
第１の操作手段と、
タッチ操作を受け付け可能な第２の操作手段と、
前記第２の操作手段に対するタッチ操作がない状態で前記第１の操作手段に対する操作があると、第１の種別のパラメータを変更し、
前記第２の操作手段に対するタッチ操作がある状態で前記第１の操作手段に対する操作があると、少なくとも第２の種別と第３の種別とを含む複数の種別のうち、前記タッチ操作に応じた種別のパラメータを変更するように制御する制御手段と、を有することを特徴とする電子機器。
【請求項２】
前記制御手段は、前記第２の操作手段の特定の領域に対するタッチがある状態で前記第１の操作手段に対する操作があると、前記複数の種別のうち、前記タッチ操作に応じた種別のパラメータを変更するように制御することを特徴とする請求項１に記載の電子機器。
【請求項３】
前記特定の領域は、前記第２の操作手段のうち当該電子機器のグリップ側に最も近い辺に隣接した領域であることを特徴とする請求項２に記載の電子機器。
【請求項４】
前記制御手段は、タッチダウンで開始されたタッチが継続された状態でタッチ位置が前記特定の領域を外れた場合でも、前記複数の種別のうち、前記タッチ操作に応じた種別のパラメータを変更することを特徴とする請求項２に記載の電子機器。
【請求項５】
前記複数の種別のうち前回、パラメータが変更された種別の操作情報を記録する記録手段を更に有し、
前記制御手段は、前記第２の操作手段に対するタッチダウンで開始されたタッチが継続されたまま移動されるムーブの前に、前記第１の操作手段に対する操作があると、前記記録手段により記録された操作情報に基づいて前回、パラメータが変更された種別のパラメータを変更することを特徴とする請求項１乃至４の何れか１項に記載の電子機器。
【請求項６】
前記制御手段は、前記複数の種別のうち、前記第２の操作手段に対するタッチダウンで開始されたタッチが継続されたまま移動されるムーブに応じた種別のパラメータを変更するように制御することを特徴とする請求項１乃至５の何れか１項に記載の電子機器。
【請求項７】
前記制御手段は、前記タッチ操作が第１の方向のムーブである場合には、変更するパラメータを前記第２の種別に切替え、前記タッチ操作が前記第１の方向と反対の方向である第２の方向のムーブである場合には、変更するパラメータを前記第３の種別に切替えることを特徴とする請求項６に記載の電子機器。
【請求項８】
前記第１の方向および前記第２の方向は、上下方向であることを特徴とする請求項７に記載の電子機器。
【請求項９】
前記第２の操作手段と重ね合わせて配置された表示部の表示を制御する表示制御手段を更に有し、
前記表示制御手段は、前記第２の操作手段に対するタッチ操作がない状態では、前記タッチ操作をガイドする表示アイテムを引き出して表示させるための引き出しを表示し、
前記引き出しが表示された領域を含む所定領域がタッチされることで、前記表示アイテムを表示し、
前記制御手段は、前記表示アイテムに対するタッチから継続するタッチ操作がある状態で前記第１の操作手段に対する操作があると、前記複数の種別のうち、前記タッチ操作に応じた種別のパラメータを変更することを特徴とする請求項１乃至８の何れか１項に記載の電子機器。
【請求項１０】
該電子機器は、撮像装置であって、
前記所定領域は、タッチした被写体にＡＦが可能な領域であるタッチＡＦ可能領域と重なり合わない領域であることを特徴とする請求項９に記載の電子機器。
【請求項１１】
前記表示制御手段は、前記表示アイテムに対するタッチから継続するタッチが離されてから所定時間が経過するまで前記表示アイテムを表示し、
前記所定時間が経過した後、前記表示アイテムを消去して前記引き出しを表示し、
前記制御手段は、前記表示アイテムに対するタッチから継続するタッチが離されてから所定時間が経過するまでに前記第１の操作手段に対する操作があると、前記第１の種別のパラメータを変更することを特徴とする請求項９または１０に記載の電子機器。
【請求項１２】
該電子機器は、撮像手段を有する撮像装置であって、
前記所定領域は、前記撮像手段により撮像された画像を前記表示部に表示する領域と重なり合わない領域であることを特徴とする請求項９乃至１１の何れか１項に記載の電子機器。
【請求項１３】
前記第１の操作手段は、第一の方向と、前記第一の方向とは異なる第二の方向とに操作可能な操作部材であることを特徴とする請求項１乃至１２の何れか１項に記載の電子機器。
【請求項１４】
前記操作部材は、回転操作部材であることを特徴とする請求項１３に記載の電子機器。
【請求項１５】
該電子機器は、鏡筒を有する撮像装置であって、
前記回転操作部材は、前記鏡筒の周りを回転する操作部材であることを特徴とする請求項１４に記載の電子機器。
【請求項１６】
前記第１の種別、前記第２の種別および前記第３の種別は、撮像手段による撮像に関するパラメータである、露出補正、ＩＳＯ感度、絞り値およびシャッター速度の何れかであることを特徴とする請求項１乃至１５の何れか１項に記載の電子機器。
【請求項１７】
前記第１の種別は、撮像手段による撮像に関するパラメータである、ズーム操作、ＷＢ補正、コントラスト補正、アスペクト切替えおよびフォーカス操作の何れか一つであり、
前記第２の種別および前記第３の種別は、撮像手段による撮像に関するパラメータである、露出補正、ＩＳＯ感度、絞り値およびシャッター速度の何れかであることを特徴とする請求項１乃至１６の何れか１項に記載の電子機器。
【請求項１８】
前記第１の種別は、撮像手段による撮像に関するパラメータである、フィルターの種類であり、前記第２の種別および前記第３の種別は、前記フィルターの効果であることを特徴とする請求項１乃至１６の何れか１項に記載の電子機器。
【請求項１９】
第１の操作手段と、
タッチ操作を受け付け可能な第２の操作手段と、を有する電子機器の制御方法であって、
前記第２の操作手段に対するタッチ操作がない状態で前記第１の操作手段に対する操作があると、第１の種別のパラメータを変更し、
前記第２の操作手段に対するタッチ操作がある状態で前記第１の操作手段に対する操作があると、少なくとも第２の種別と第３の種別とを含む複数の種別のうち、前記タッチ操作に応じた種別のパラメータを変更するように制御する制御ステップを有することを特徴とする制御方法。
【請求項２０】
第１の操作手段と、
タッチ操作を受け付け可能な第２の操作手段と、
前記第２の操作手段に対するタッチ操作がない状態で前記第１の操作手段に対する操作があると、第１の種別のパラメータを変更し、
前記第２の操作手段のうちグリップ側に最も近い辺に隣接した特定の領域に対するタッチ操作がある状態で前記第１の操作手段に対する操作があると、前記第１の種別とは異なる他の種別のパラメータを変更するように制御する制御手段と、を有することを特徴とする電子機器。
【請求項２１】
前記制御手段は、タッチダウンで開始されたタッチが継続された状態でタッチ位置が前記特定の領域を外れた場合でも、前記他の種別のパラメータを変更することを特徴とする請求項２０に記載の電子機器。
【請求項２２】
前記第２の操作手段と重ね合わせて配置された表示部の表示を制御する表示制御手段を更に有し、
前記表示制御手段は、前記第２の操作手段に対するタッチ操作がない状態では、前記タッチ操作をガイドする表示アイテムを引き出して表示させるための引き出しを表示し、
前記引き出しが表示された領域を含む所定領域がタッチされることで、前記表示アイテムを表示し、
前記制御手段は、前記表示アイテムに対するタッチから継続するタッチ操作がある状態で前記第１の操作手段に対する操作があると、前記他の種別のパラメータを変更することを特徴とする請求項２０または２１に記載の電子機器。
【請求項２３】
該電子機器は、撮像装置であって、
前記所定領域は、タッチした被写体にＡＦが可能な領域であるタッチＡＦ可能領域と重なり合わない領域であることを特徴とする請求項２２に記載の電子機器。
【請求項２４】
前記表示制御手段は、前記表示アイテムに対するタッチから継続するタッチが離されてから所定時間が経過するまで前記表示アイテムを表示し、
前記所定時間が経過した後、前記表示アイテムを消去して前記引き出しを表示し、前記制御手段は、前記表示アイテムに対するタッチから継続するタッチが離されてから所定時間が経過するまでに前記第１の操作手段に対する操作があると、前記第１の種別のパラメータを変更することを特徴とする請求項２２または２３に記載の電子機器。
【請求項２５】
該電子機器は、撮像手段を有する撮像装置であって、
前記所定領域は、前記撮像手段により撮像された画像を前記表示部に表示する領域と重なり合わない領域であることを特徴とする請求項２２乃至２４の何れか１項に記載の電子機器。
【請求項２６】
前記第１の操作手段は、第一の方向と、前記第一の方向とは異なる第二の方向とに操作可能な操作部材であることを特徴とする請求項２０乃至２５の何れか１項に記載の電子機器。
【請求項２７】
前記操作部材は、回転操作部材であることを特徴とする請求項２６に記載の電子機器。
【請求項２８】
該電子機器は、鏡筒を有する撮像装置であって、
前記回転操作部材は、前記鏡筒の周りを回転する操作部材であることを特徴とする請求項２７に記載の電子機器。
【請求項２９】
前記第１の種別および前記他の種別は、撮像手段による撮像に関するパラメータである、露出補正、ＩＳＯ感度、絞り値およびシャッター速度の何れかであることを特徴とする請求項２０乃至２８の何れか１項に記載の電子機器。
【請求項３０】
前記第１の種別は、撮像手段による撮像に関するパラメータである、ズーム操作、ＷＢ補正、コントラスト補正、アスペクト切替えおよびフォーカス操作の何れか一つであり、
前記他の種別は、撮像手段による撮像に関するパラメータである、露出補正、ＩＳＯ感度、絞り値およびシャッター速度の何れかであることを特徴とする請求項２０乃至２９の何れか１項に記載の電子機器。
【請求項３１】
前記第１の種別は、撮像手段による撮像に関するパラメータである、フィルターの種類であり、
前記他の種別は、前記フィルターの効果であることを特徴とする請求項２０乃至３０の何れか１項に記載の電子機器。
【請求項３２】
第１の操作手段と、
タッチ操作を受け付け可能な第２の操作手段と、を有する電子機器の制御方法であって、
前記第２の操作手段に対するタッチ操作がない状態で前記第１の操作手段に対する操作があると、第１の種別のパラメータを変更し、
前記第２の操作手段のうちグリップ側に最も近い辺に隣接した特定の領域に対するタッチ操作がある状態で前記第１の操作手段に対する操作があると、前記第１の種別とは異なる他の種別のパラメータを変更するように制御する制御ステップを有することを特徴とする制御方法。
【請求項３３】
撮影指示を受け付けるシャッター操作部材と、
第１の操作手段と、
タッチ操作を受け付け可能な第２の操作手段と、
前記第２の操作手段に対するタッチ操作がない状態で前記第１の操作手段に対する操作があると、第１の種別のパラメータを変更し、  
前記第２の操作手段の縦辺のうち、前記シャッター操作部材に近い辺に隣接した特定の領域に対するタッチ操作がある状態で前記第１の操作手段に対する操作があると、前記第１の種別とは異なる他の種別のパラメータを変更するように制御する制御手段と、を有することを特徴とする撮像装置。
【請求項３４】
撮影指示を受け付けるシャッター操作部材と、
第１の操作手段と、
タッチ操作を受け付け可能な第２の操作手段とを有する撮像装置の制御方法であって、
前記第２の操作手段に対するタッチ操作がない状態で前記第１の操作手段に対する操作があると、第１の種別のパラメータを変更し、  
前記第２の操作手段の縦辺のうち、前記シャッター操作部材に近い辺に隣接した特定の領域に対するタッチ操作がある状態で前記第１の操作手段に対する操作があると、前記第１の種別とは異なる他の種別のパラメータを変更するように制御する制御ステップを有することを特徴とする撮像装置の制御方法。
【請求項３５】
コンピュータを、請求項１乃至１８、２０乃至３１、３３の何れか１項に記載された電子機器の各手段として機能させるためのプログラム。
【請求項３６】
コンピュータを、請求項１乃至１８、２０乃至３１、３３の何れか１項に記載された電子機器の各手段として機能させるためのプログラムを格納したコンピュータ読み取り可能な記録媒体。